(57)【要約】【課題】誤放電を抑制し画像表示品質の低下を抑えることを目的とする。【解決手段】走査電極ＳＣ１〜ＳＣｎおよび維持電極ＳＵ１〜ＳＵｎとデータ電極Ｄ１〜Ｄｍとの交差部に放電セルを形成したプラズマディスプレイパネルの駆動方法であって、１フィールド期間が初期化期間、書込み期間および維持期間を有する複数のサブフィールドから構成され、書込み期間において、走査電極ＳＣ１〜ＳＣｎと維持電極ＳＵ１〜ＳＵｎとの間に維持放電を発生させるための電圧を所定の時間Ｔ１印加することを特徴とする。【選択図】図４
2007041250.tif 000002
【特許請求の範囲】
【請求項１】
走査電極および維持電極とデータ電極との交差部に放電セルを形成したプラズマディスプレイパネルの駆動方法であって、
１フィールド期間は、初期化期間、書込み期間および維持期間を有する複数のサブフィールドから構成され、
前記書込み期間において、前記走査電極と前記維持電極との間に維持放電を発生させるための電圧を所定の時間印加することを特徴とするプラズマディスプレイパネルの駆動方法。
【請求項２】
前記所定の時間印加する電圧は、前記走査電極側を陽極とし前記維持電極側を陰極とする電圧であることを特徴とする請求項１に記載のプラズマディスプレイパネルの駆動方法。
【請求項３】
前記プラズマディスプレイパネルの温度を検出し、検出した温度にもとづいて前記所定の時間を設定することを特徴とする請求項１または請求項２に記載のプラズマディスプレイパネルの駆動方法。
【請求項４】
前記プラズマディスプレイパネルの温度が低いときは前記所定の時間を長く、前記プラズマディスプレイパネルの温度が高いときは前記所定の時間を短く設定することを特徴とする請求項３に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それらの表示電極を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法が用いられている。これは、１フィールド期間を複数のサブフィールドに分割し、それぞれのサブフィールドで各放電セルを発光、非発光制御することにより階調表示を行う方法である。そして、サブフィールドのそれぞれは、初期化期間、書込み期間および維持期間を有する。初期化期間では、放電セルで初期化放電を行い、続く書込み動作のために必要な壁電荷を形成する。加えて、放電遅れを小さくし書込み放電を安定して発生させるためのプライミング（放電のための起爆剤＝励起粒子）を発生させるという働きをもつ。書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。続く維持期間では、発光させるべき表示輝度に応じた所定の回数の維持パルスを走査電極と維持電極との間に印加し、書込み放電による壁電荷形成を行った放電セルを選択的に放電させ発光させる。なお、サブフィールド毎の表示輝度の比率を、以下「輝度重み」と呼ぶ。
【０００４】
このようなサブフィールド法の中でも、階調表示に関係しない発光を極力減らしてコントラスト比を向上させるために、緩やかに変化する電圧波形を用いて初期化放電を行う方法や、維持放電を行った放電セルに対して選択的に初期化放電を行う方法等、新規な駆動方法が特許文献１に開示されている。
【０００５】
特許文献１によれば、各サブフィールドはそれぞれ初期化期間、書込み期間、維持期間を有し、初期化期間では、画像表示を行うすべての放電セルに対して初期化放電を行わせる全セル初期化動作、または直前のサブフィールドにおいて維持放電を行った放電セルに対して選択的に初期化放電を行わせる選択初期化動作を行わせ、全セル初期化動作を行わせるサブフィールドを減らすことにより、階調表示に関係しない発光を極力減らしてコントラスト比を向上している。
【特許文献１】特開２０００−２４２２２４号公報
【発明の開示】
【発明が解決しようとする課題】
【０００６】
近年、消費電力削減や輝度向上の要求に応えるために、パネルの構造やパネル材料等に対する検討が活発になされている。例えば、パネルに封入されている放電ガスのキセノン分圧を増加させることによりパネルの発光効率が向上することが一般に知られている。しかしながらその反面、放電セルに電圧を印加してから放電が発生するまでの時間（以下、「放電遅れ」と略記する）が大きくなる傾向にある。その結果、画像表示を行うための放電の制御ができなくなり、発光すべきでない放電セルが誤放電によって発光し、表示画像上に輝点が発生して画像表示品質が低下するといった問題点があった。
【０００７】
本発明のパネルの駆動方法は、これらの課題に鑑みてなされたものであり、誤放電を抑制し画像表示品質の低下を抑えることを目的とする。
【課題を解決するための手段】
【０００８】
本発明は走査電極および維持電極とデータ電極との交差部に放電セルを形成したパネルの駆動方法であって、１フィールド期間が初期化期間、書込み期間および維持期間を有する複数のサブフィールドから構成され、書込み期間において、走査電極と維持電極との間に維持放電を発生させるための電圧を所定の時間印加することを特徴とする。この方法により、誤放電を抑制し画像表示品質の低下を抑えることが可能となる。
【０００９】
また本発明のパネルの駆動方法において、所定の時間印加する電圧は、走査電極側を陽極とし維持電極側を陰極とする電圧であってもよい。
【００１０】
また本発明のパネルの駆動方法は、パネルの温度を検出し、検出した温度にもとづいて所定の時間を設定してもよい。
【００１１】
また本発明のパネルの駆動方法は、パネルの温度が低いときは所定の時間を長く、パネルの温度が高いときは所定の時間を短く設定してもよい。この方法により、プラズマディスプレイ装置を使用できる環境温度の範囲を広げるとともに、スイッチＯＮ時には誤放電の発生を抑えることができる。
【発明の効果】
【００１２】
本発明によれば、誤放電を抑制し画像表示品質の低下を抑えたパネルの駆動方法を提供することができる。
【発明を実施するための最良の形態】
【００１３】
以下、本発明の実施の形態におけるパネルの駆動方法について、図面を用いて説明する。
【００１４】
（実施の形態１）
図１は本発明の実施の形態１に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。また、背面基板３上には絶縁体層８で覆われた複数のデータ電極９が設けられ、絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、例えばネオンとキセノンの混合ガスが封入されている。なお、パネルの構造は上述したものに限られるわけではなく、例えば井桁状の隔壁を備えたものであってもよい。
【００１５】
図２は本発明の実施の形態１におけるパネルの電極配列図である。行方向にｎ本の走査電極ＳＣ１〜ＳＣｎ（図１の走査電極４）およびｎ本の維持電極ＳＵ１〜ＳＵｎ（図１の維持電極５）が配列され、列方向にｍ本のデータ電極Ｄ１〜Ｄｍ（図１のデータ電極９）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１６】
図３は本発明の実施の形態１におけるパネルの駆動方法を使用するプラズマディスプレイ装置の回路ブロック図である。このプラズマディスプレイ装置は、パネル１、データ電極駆動回路１２、走査電極駆動回路１３、維持電極駆動回路１４、タイミング発生回路１５、画像信号処理回路１８および電源回路（図示せず）を備えている。画像信号処理回路１８は画像信号ｓｉｇをパネル１の画素数に応じた画像データに変換し、各画素の画像データを複数のサブフィールドに対応する複数のビットに分割しデータ電極駆動回路１２に出力する。データ電極駆動回路１２はサブフィールド毎の画像データを各データ電極Ｄ１〜Ｄｍに対応する信号に変換し各データ電極Ｄ１〜Ｄｍを駆動する。タイミング発生回路１５は水平同期信号Ｈおよび垂直同期信号Ｖをもとにしてタイミング信号を発生し、各々の駆動回路ブロックへ供給する。走査電極駆動回路１３はタイミング信号にもとづいて走査電極ＳＣ１〜ＳＣｎに駆動波形を供給し、維持電極駆動回路１４はタイミング信号にもとづいて維持電極ＳＵ１〜ＳＵｎに駆動波形を供給する。
【００１７】
次に、パネルを駆動するための駆動電圧波形とその動作について説明する。本実施の形態においては、１フィールドを１０のサブフィールド（第１ＳＦ、第２ＳＦ、・・・、第１０ＳＦ）に分割し、各サブフィールドはそれぞれ（１、２、３、６、１１、１８、３０、４４、６０、８１）の輝度重みをもつものとして説明する。このように本実施の形態においては、１フィールド期間において後ろに配置されたサブフィールドほど輝度重みが大きくなるように構成している。ただし、本発明はサブフィールド数や各サブフィールドの輝度重みが上記の値に限定されるものではない。
【００１８】
図４は本発明の実施の形態１におけるパネルの各電極に印加する駆動波形図である。このように本実施の形態においては、第１ＳＦは全セル初期化動作を行う初期化期間を有するサブフィールド（以下、「全セル初期化サブフィールド」と略記する）、第２ＳＦ〜第１０ＳＦは選択初期化動作を行う初期化期間を有するサブフィールド（以下、「選択初期化サブフィールド」と略記する）であり、図４には第１ＳＦ〜第２ＳＦの駆動波形を示している。
【００１９】
第１ＳＦの初期化期間の前半部では、データ電極Ｄ１〜Ｄｍおよび維持電極ＳＵ１〜ＳＵｎを０Ｖに保持し、走査電極ＳＣ１〜ＳＣｎに対して放電開始電圧以下となる電圧Ｖｉ１から放電開始電圧を超える電圧Ｖｉ２に向かって緩やかに上昇するランプ電圧を印加する。すると、すべての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００２０】
続く初期化期間の後半部では、維持電極ＳＵ１〜ＳＵｎに正の電圧Ｖｅを印加し、走査電極ＳＣ１〜ＳＣｎに電圧Ｖｉ３から電圧Ｖｉ４に向かって緩やかに下降するランプ電圧を印加する。すると、すべての放電セルにおいて２回目の微弱な初期化放電を起こし、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧も書込み動作に適した値に調整される。
【００２１】
第１ＳＦの書込み期間では、維持電極ＳＵ１〜ＳＵｎに電圧Ｖｅを印加し、走査電極ＳＣ１〜ＳＣｎを一旦電圧Ｖｃに保持する。次に、データ電極Ｄ１〜Ｄｍのうち１行目に発光すべき放電セルのデータ電極Ｄｋ（ｋ＝１〜ｍ）に正の書込み電圧Ｖｄを印加するとともに、１行目の走査電極ＳＣ１に負の走査電圧Ｖａを印加する。すると、データ電極Ｄｋと走査電極ＳＣ１との交差部の電圧は、外部印加電圧（Ｖｄ−Ｖａ）にデータ電極Ｄｋ上の壁電圧および走査電極ＳＣ１上の壁電圧が加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光すべき放電セルで書込み放電を起こして各電極上に壁電圧を蓄積する書込み動作が行われる。一方、書込み電圧Ｖｄを印加しなかったデータ電極Ｄｈ（ｈ≠ｋ）と走査電極ＳＣ１との交差部の電圧は放電開始電圧を超えないので、書込み放電は発生しない。
【００２２】
以上の書込み動作をｎ／２行目の放電セルに至るまで順次行った時点で、本実施の形態においては、走査電極ＳＣ１〜ＳＣｎと維持電極ＳＵ１〜ＳＵｎとの間に維持放電を発生させるための電圧を所定の時間Ｔ１の間印加している。図５は本発明の実施の形態において書込み期間に挿入された維持放電を発生させるための電圧の詳細を示す駆動波形図である。このように、ｎ／２行目の放電セルで書込み動作を行った後、維持放電を発生させるための電圧として、維持電極ＳＵ１〜ＳＵｎを０Ｖに戻し、走査電極ＳＣ１〜ＳＣｎに維持電圧Ｖｓを印加する。以下、このパルス状の維持電圧を「書込維持パルス」と呼ぶ。このとき１行目〜ｎ／２行目の放電セルのうち書込み放電を起こした放電セルにおいては、走査電極ＳＣｉ（ｉ＝１〜ｎ／２）上と維持電極ＳＵｉ上との間の電圧は維持電圧Ｖｓに走査電極ＳＣｉ上および維持電極ＳＵｉ上の壁電圧の大きさが加算されたものとなり放電開始電圧を超える。そして、走査電極ＳＣｉと維持電極ＳＵｉとの間に維持放電が起こり発光する。このとき走査電極ＳＣｉ上に負の壁電圧が蓄積され、維持電極ＳＵｉ上に正の壁電圧が蓄積され、データ電極Ｄｋ上に正の壁電圧が蓄積される。一方、１行目〜ｎ／２行目の放電セルのうち書込み放電を起こさなかった放電セルでは維持放電は発生せず、初期化期間の終了時における壁電圧状態が保持される。なお、図５では、所定の時間Ｔ１を書込維持パルス幅Ｔ１として示している。
【００２３】
この後、維持電極ＳＵ１〜ＳＵｎを電圧Ｖｅに戻し、走査電極ＳＣ１〜ＳＣｎも電圧Ｖｃに戻す。そして、データ電極Ｄ１〜Ｄｍのうちｎ／２＋１行目に発光すべき放電セルのデータ電極Ｄｋに書込み電圧Ｖｄを印加するとともに、ｎ／２＋１行目の走査電極ＳＣｎ／２＋１に走査電圧Ｖａを印加して書込み動作を行う。以上の書込み動作をｎ行目の放電セルに至るまで順次行い、書込み期間を終了する。
【００２４】
このように本実施の形態においては、書込み期間において書込維持パルスを挿入し、書込維持パルス挿入前に書込み動作を行った放電セルで維持放電を発生させる。書込維持パルスの働きの詳細については後述するが、これにより、放電遅れの大きい放電セルであっても誤放電を抑制することができる。なお、本実施の形態においては、書込維持パルスのパルス幅Ｔ１は２０μｓに設定されている。
【００２５】
続く維持期間では、維持電極ＳＵ１〜ＳＵｎを０Ｖに戻し、走査電極ＳＣ１〜ＳＣｎに維持電圧Ｖｓを印加する。このパルス状の電圧は以下、単に「維持パルス」と略記する。このときｎ／２＋１行目〜ｎ行目の放電セルのうち書込み放電を起こした放電セルにおいては、走査電極ＳＣｉ（ｉ＝ｎ／２＋１〜ｎ）上と維持電極ＳＵｉ上との間の電圧は維持電圧Ｖｓに走査電極ＳＣｉ上および維持電極ＳＵｉ上の壁電圧の大きさが加算されたものとなり放電開始電圧を超える。そして、走査電極ＳＣｉと維持電極ＳＵｉとの間に維持放電が起こり発光する。このとき走査電極ＳＣｉ上に負の壁電圧が蓄積され、維持電極ＳＵｉ上に正の壁電圧が蓄積され、データ電極Ｄｋ上に正の壁電圧が蓄積される。ｎ／２＋１行目〜ｎ行目の放電セルのうち書込み放電を起こさなかった放電セルでは維持放電は発生せず、初期化期間の終了時における壁電圧状態が保持される。一方、１行目〜ｎ／２行目の放電セルについては、書込み放電を起こした放電セルでは書込み期間に挿入された書込維持パルスによってすでに維持放電を発生しているのでここでは維持放電は発生せず、書込み放電を起こさなかった放電セルではもちろん維持放電は発生しない。
【００２６】
続いて走査電極ＳＣ１〜ＳＣｎを０Ｖに戻し、維持電極ＳＵ１〜ＳＵｎに維持電圧Ｖｓを印加する。すると、書込維持パルスまたは維持期間の最初の維持パルスにおいて維持放電を起こした放電セルでは、維持電極ＳＵｉ上と走査電極ＳＣｉ上との間の電圧が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに必要に応じた数の維持パルスを交互に印加することにより、書込み期間において書込み放電を起こした放電セルでは維持放電が継続して行われる。ここで、本実施の形態においては、走査電極ＳＣ１〜ＳＣｎと維持電極ＳＵ１〜ＳＵｎとに交互に印加する維持パルスのパルス幅Ｔ０は５μｓに設定されている。以上で維持期間における維持動作が終了する。
【００２７】
第２ＳＦの初期化期間では、維持電極ＳＵ１〜ＳＵｎを電圧Ｖｅに、データ電極Ｄ１〜Ｄｍを０Ｖにそれぞれ保持し、走査電極ＳＣ１〜ＳＣｎに電圧Ｖｓから電圧Ｖｉ４に向かって緩やかに下降するランプ電圧を印加する。すると前のサブフィールドの維持期間で維持放電を行った放電セルでは微弱な初期化放電が発生し、走査電極ＳＣｉ上および維持電極ＳＵｉ上の壁電圧が弱められ、データ電極Ｄｋ上の壁電圧も書込み動作に適した値に調整される。一方、前のサブフィールドで書込み放電および維持放電を行わなかった放電セルについては放電することはなく、前のサブフィールドの初期化期間終了時における壁電荷状態がそのまま保たれる。
【００２８】
第２ＳＦの書込み期間は第１ＳＦと同様に、書込み期間中に書込維持パルスを挿入し、書込維持パルス挿入前に書込み動作を行った放電セルで維持放電を発生させる。続く維持期間の動作も維持パルス数を除いて第１ＳＦの維持期間と同様の動作であるため説明を省略する。続く第３ＳＦ〜第１０ＳＦにおいても、第２ＳＦと同様の動作を行う。
【００２９】
ここで、４２インチＶＧＡタイプのパネルを駆動するときの各電圧値は、例えば、Ｖｉ１＝Ｖｉ３＝Ｖｓ＝１７０Ｖ、Ｖｉ２＝４００Ｖ、Ｖｉ４＝Ｖａ＝−９０Ｖ、Ｖｅ＝１５０Ｖである。また、電圧Ｖｉ１から電圧Ｖｉ２に上昇するまでの時間は１２０μｓ、電圧Ｖｉ３から電圧Ｖｉ４に下降するまでの時間は１８０μｓである。さらに電圧Ｖｉ３から電圧Ｖｉ４への下降は、７．５Ｖ／μｓ以下で緩やかに電圧値の変化する波形であれば任意の波形でよい。しかしこれらの値は放電セルの特性等にもとづいて最適に設定することが望ましい。
【００３０】
次に、書込み期間中に書込維持パルスを挿入することにより、放電遅れの大きい放電セルであっても誤放電を抑制することができる理由について、以下に説明する。
【００３１】
書込み期間において走査電極ＳＣ１〜ＳＣｎに走査パルスを印加して書込み放電を発生させる際、走査電極ＳＣ１、走査電極ＳＣ２、・・・、走査電極ＳＣｎと順次書込み放電を発生させる。そのため、書込み放電を発生した放電セルが維持放電を発生するまでの時間は、放電セルの書込み順序によって大きく異なる。このとき、書込み放電から維持放電までの時間が長くなりすぎると、プライミングの減少や壁電荷の減少等、放電を不安定にする要因が増え、維持パルス印加時に正常な維持放電を発生させることができなくなり、その後の輝度重みの大きい維持期間に誤放電する等、画像表示品質を損なうことがある。しかしながら、本実施の形態においては、各サブフィールドの書込み期間内に書込維持パルスを挿入することで、書込み放電を行ってから維持放電を行うまでの時間を半減することができる。すなわち、書込み期間の最初に書込み放電を発生した放電セルであっても、維持期間まで待たずに書込み期間の半ばで書込維持パルスによって維持放電を発生させることができるので、放電を不安定にする要因が増える前に、正常な維持放電を発生させることができる。
【００３２】
なお、本実施の形態においては、書込維持パルスのパルス幅Ｔ１をすべてのサブフィールドで同一であるものとして説明したが、サブフィールド毎に異なる値に設定してもよい。しかし、検討の結果、パルス幅Ｔ１は２０μｓ〜３０μｓの間に設定すると良好な画像表示品質が得られることが明らかとなった。
【００３３】
また、本実施の形態においては、すべてのサブフィールドの書込み期間に書込維持パルスが挿入されているものとして説明したが、本発明はこれに限られるものではなく、書込維持パルスは必要に応じて任意のサブフィールドの書込み期間に挿入することができる。以下にその例を示す。
【００３４】
（実施の形態２）
図６は本発明の実施の形態２におけるパネルの走査電極および維持電極に印加する駆動波形図である。本実施の形態においても実施の形態１と同様に、１フィールドを１０のサブフィールドで構成し、後ろに配置されたサブフィールドほど輝度重みが大きくなる構成である。また、第１ＳＦは全セル初期化サブフィールドであり、第２ＳＦ〜第１０ＳＦは選択初期化サブフィールドであるものとする。本実施の形態が実施の形態１と異なるところは、輝度重みの小さい第１ＳＦ〜第４ＳＦの書込み期間に書込維持パルスを挿入し、輝度重みの大きい第５ＳＦ〜第１０ＳＦの書込み期間に書込維持パルスを挿入していないところである。
【００３５】
書込み期間に書込維持パルスを挿入すると、そのサブフィールドの書込み期間は、少なくとも書込維持パルスのパルス幅Ｔ１分長くなる。全サブフィールドに幅広パルスを挿入すると、少なくとも１フィールドあたりの駆動時間が（パルス幅Ｔ１）×（サブフィールド数）長くなり、実施の形態１においては、２０μｓ×１０＝２００μｓ長くなる。しかしながら本実施の形態では、第１ＳＦ〜第４ＳＦの維持期間にのみ書込維持パルスを挿入しているので、１フィールドあたりの駆動時間は、２０μｓ×４＝８０μｓ長くなるだけである。一方、誤放電が目につくのは、輝度の低い画像を表示すべき放電セル、すなわち輝度重みの小さいサブフィールドでのみ点灯すべき放電セルが輝度重みの大きいサブフィールドで誤点灯した場合である。したがって、駆動時間の許す範囲で、輝度重みの小さいサブフィールドから優先的に書込維持パルスを挿入することで、画像表示品質を低下させる誤放電の大半を抑制することが可能となる。
【００３６】
（実施の形態３）
図７は本発明の実施の形態３におけるパネルの走査電極および維持電極に印加する駆動波形図である。本実施の形態が実施の形態１と異なるところは、書込み期間に書込維持パルスを複数挿入したところである。図７には書込み期間に３つの書込維持パルスを挿入した例を示している。
【００３７】
書込み期間において、１行目の放電セルからｎ／４行目の放電セルに至るまで順次書込み動作を行った時点で、走査電極に最初の書込維持パルスを挿入している。すると、１行目〜ｎ／４行目の放電セルのうち書込み放電を起こした放電セルで維持放電が発生する。次に、ｎ／４＋１行目の放電セルからｎ／２行目の放電セルに至るまで順次書込み動作を行った時点で、走査電極に２番目の書込維持パルスを挿入している。すると、ｎ／４＋１行目〜ｎ／２行目の放電セルのうち書込み放電を起こした放電セルで維持放電が発生する。その後、ｎ／２＋１行目の放電セルから３ｎ／４行目の放電セルに至るまで順次書込み動作を行った時点で、走査電極に３番目の書込維持パルスを挿入している。すると、ｎ／２＋１行目〜３ｎ／４行目の放電セルのうち書込み放電を起こした放電セルで維持放電が発生する。最後に、３ｎ／４＋１行目の放電セルからｎ行目の放電セルに至るまで順次書込み動作を行って、書込み期間を終了する。すると、３ｎ／４＋１行目〜ｎ行目の放電セルのうち書込み放電を起こした放電セルで維持放電が発生する。
【００３８】
このように本実施の形態においては、書込み期間をほぼ４分割し、それぞれの分割の最後に書込維持パルスを挿入している。したがって、書込み放電を行ってから維持放電を行うまでの時間を１／４以下に短縮することができる。したがって、書込み期間の最初に書込み放電を発生した放電セルであっても、維持期間まで待たずに書込み期間の途中で書込維持パルスによって維持放電を発生させることができるので、放電を不安定にする要因が増える前に、正常な維持放電を発生させることができる。
【００３９】
なお、本実施の形態においては、書込み期間に挿入する書込維持パルスの数を「４」として説明したが、必要な数だけ書込維持パルスを挿入することができる。
【００４０】
（実施の形態４）
次に、本発明の実施の形態４について説明する。実施の形態４が実施の形態１〜３と異なるところは、書込み期間に挿入する書込維持パルスのパルス幅Ｔ１の値をパネル１の温度に依存して制御している点である。
【００４１】
図８は本発明の実施の形態４におけるパネルの駆動方法を使用するプラズマディスプレイ装置の回路ブロック図である。このプラズマディスプレイ装置は、パネル１、データ電極駆動回路１２、走査電極駆動回路１３、維持電極駆動回路１４、タイミング発生回路１５、画像信号処理回路１８、電源回路（図示せず）に加えて、温度センサ１９およびパルス幅設定回路２０を備えている。
【００４２】
図９は本発明の実施の形態におけるプラズマディスプレイ装置の分解斜視図である。プラズマディスプレイ装置は、前面カバー２１および背面カバー２２からなる筐体内にパネル１、熱伝導性シート２４、シャーシ２３、回路基板２５等を収容して構成されている。パネル１は熱伝導性シート２４を介してシャーシ２３の前面側に取り付けられ、シャーシ２３はアルミニウム等の金属製であるので、このシャーシ２３に温度センサ１９を設置することによりパネルの温度を検出することができる。
【００４３】
パルス幅設定回路２０は、温度センサ１９で検出した温度に応じて書込み期間に挿入された書込維持パルスのパルス幅Ｔ１を決定し、タイミング発生回路１５に出力する。タイミング発生回路１５は水平同期信号Ｈおよび垂直同期信号Ｖに加えて、書込維持パルスのパルス幅Ｔ１を示す信号にもとづき、各回路ブロックへタイミング信号を供給する。そして、パルス幅設定回路２０は、温度センサ１９の検出温度が低くなるほど、書込維持パルスのパルス幅Ｔ１が長くなるように設定している。これは、誤放電の原因となる放電遅れがパネル温度に依存しており、パネルの温度が低くなるほど放電遅れが大きくなるためである。
【００４４】
このようにパネルの温度に依存して書込維持パルスのパルス幅Ｔ１を制御することにより、プラズマディスプレイ装置を使用できる環境温度の範囲を広げるとともに、スイッチＯＮ時には誤放電の発生を抑え、パネルが温まるにつれて駆動時間を輝度の向上や表示階調を増加させる等の画質向上に割り当てることが可能になる。
【００４５】
なお、本実施の形態においては書込維持パルスのパルス幅をパネルの温度で制御した例を示したが、書込維持パルスを挿入するサブフィールドを制御してもよく、書込み期間に挿入する書込維持パルスの数を制御してもよい。
【産業上の利用可能性】
【００４６】
本発明は、誤放電を抑制し画像表示品質の低下を抑えることができるので、パネルの駆動方法として有用である。
【図面の簡単な説明】
【００４７】
【図１】本発明の実施の形態１に用いるパネルの要部を示す斜視図
【図２】同パネルの電極配列図
【図３】同パネルの駆動方法を使用するプラズマディスプレイ装置の回路ブロック図
【図４】同パネルの各電極に印加する駆動波形図
【図５】本発明の実施の形態１において書込み期間に挿入された維持パルスの詳細を示す駆動波形図
【図６】本発明の実施の形態２におけるパネルの走査電極および維持電極に印加する駆動波形図
【図７】本発明の実施の形態３におけるパネルの走査電極および維持電極に印加する駆動波形図
【図８】本発明の実施の形態４におけるパネルの駆動方法を使用するプラズマディスプレイ装置の回路ブロック図
【図９】本発明の実施の形態４におけるプラズマディスプレイ装置の分解斜視図
【符号の説明】
【００４８】
１    パネル
２    前面基板
３    背面基板
４    走査電極
５    維持電極
９    データ電極
１０    隔壁
１２    データ電極駆動回路
１３    走査電極駆動回路
１４    維持電極駆動回路
１５    タイミング発生回路
１８    画像信号処理回路
１９    温度センサ
２０    パルス幅設定回路
２１    前面カバー
２２    背面カバー
２３    シャーシ
２４    熱伝導性シート
【図１】
2007041250.tif 000003
【図２】
2007041250.tif 000004
【図３】
2007041250.tif 000005
【図４】
2007041250.tif 000006
【図５】
2007041250.tif 000007
【図６】
2007041250.tif 000008
【図７】
2007041250.tif 000009
【図８】
2007041250.tif 000010
【図９】
2007041250.tif 000011